(57)【特許請求の範囲】
【請求項１】
光源から射出された光束を画像情報に応じて変調し、変調した光を投写レンズによって投写するプロジェクターであって、
前記投写レンズを収納し、前記投写レンズから射出された光が通過する投写用開口部を有する外装筐体と、
前記投写用開口部をスライド移動によって開閉するレンズカバーと、
前記レンズカバーを開閉させる駆動部と、
を備え、
前記レンズカバーは、第１の牽引部および第２の牽引部を有し、前記駆動部によりスライド移動する第１カバーと、前記第１カバーに対し前記駆動部の反対側に配置され、前記第１カバーに牽引されて移動する第２カバーと、前記第１の牽引部と前記第２の牽引部との間に形成され、前記第１カバーの移動方向によって前記第１の牽引部または前記第２の牽引部と係合する係合部と、を有し、
前記第１カバーおよび前記第２カバーは、前記投写用開口部が開放される開放状態において、積層して収納されるように構成されていることを特徴とするプロジェクター。
【請求項２】
請求項１に記載のプロジェクターであって、
当該プロジェクターは、第１画像および第２画像を時分割でスクリーンに投影可能に構成され、
前記第１画像と前記第２画像との切り替えに同期する光信号を、前記スクリーンに向けて出力し、前記投写レンズに並設される発信装置をさらに備え、
前記第１カバーおよび前記第２カバーは、前記開放状態において、前記投写レンズを挟んで前記発信装置とは反対側に収納されるように構成されていることを特徴とするプロジェクター。
【請求項３】
請求項１または請求項２に記載のプロジェクターであって、
前記レンズカバーが前記投写用開口部を閉塞した閉塞状態から前記開放状態へ移動する際、前記第１の牽引部が前記係合部と係合して前記第２カバーを牽引し、前記レンズカバーが前記開放状態から前記閉塞状態へ移動する際、前記第２の牽引部が前記係合部と係合して前記第２カバーを牽引することを特徴とするプロジェクター。
【請求項４】
請求項１〜請求項３のいずれか一項に記載のプロジェクターであって、
前記駆動部は、
前記第１カバーおよび前記第２カバーを電動でスライド移動させることを特徴とするプロジェクター。
【請求項５】
請求項４に記載のプロジェクターであって、
前記駆動部は、
駆動力を出力する出力部と、
前記駆動力を前記レンズカバーに伝達する伝達部と、
を備え、
前記伝達部は、
前記出力部に噛合する出力側伝達部、および前記レンズカバーに噛合するカバー側伝達部を備え、
前記出力側伝達部と前記カバー側伝達部との間で滑りを生じさせる滑り機構を有していることを特徴とするプロジェクター。
【請求項６】
請求項１〜請求項５のいずれか一項に記載のプロジェクターであって、
前記第１カバーは、前記投写レンズが光を射出する方向に突出する把持部を有し、
前記レンズカバーは、前記把持部が把持されて前記第１カバーが移動されることによって、手動による開閉が可能に構成されていることを特徴とするプロジェクター。
【請求項７】
請求項１〜請求項６のいずれか一項に記載のプロジェクターであって、
前記レンズカバーをスライド移動可能に支持するように構成される第１案内部および第２案内部をさらに備え、
前記第１案内部および前記第２案内部は、
前記第１カバーおよび前記第２カバーを案内する２つのレール部をそれぞれ有することを特徴とするプロジェクター。
【請求項８】
請求項７に記載のプロジェクターであって、
前記第１案内部には、前記駆動部が取り付けられることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光を投写レンズにてスクリーンに投写するプロジェクターが知られている。また、このプロジェクターには、投写レンズの保護を目的として、投写レンズの前面側を覆うようにレンズカバーが設けられたものが知られている（例えば、特許文献１参照）。
【０００３】
特許文献１に記載されているプロジェクターは、投射光学装置（投写レンズ）を収納する外装筐体、および遮蔽部材を備えている。そして、このプロジェクターは、外装筐体に投写レンズから投射された光が通過する光束通過用開口部が設けられ、遮蔽部材をスライド移動させることによって、光束通過用開口部を開閉するように構成されている。
【先行技術文献】
【特許文献】
【０００４】
【特許文献１】特開２００８−２６８７１６号公報
【発明の概要】
【発明が解決しようとする課題】
【０００５】
しかしながら特許文献１のプロジェクターは、光束通過用開口部を開放した際の遮光部材の収納スペースが大きくなるため、プロジェクターが大型化したり、プロジェクター内の部材の配置やデザイン等に制約が生じたりするという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調し、変調した光を投写レンズによって投写するプロジェクターであって、前記投写レンズを収納し、前記投写レンズから射出された光が通過する投写用開口部を有する外装筐体と、前記投写用開口部を開閉するレンズカバーと、を備え、前記レンズカバーは、第１カバーおよび第２カバーを有し、前記第１カバーおよび前記第２カバーは、スライド移動により前記投写用開口部を開閉し、前記投写用開口部が開放される開放状態において、積層して収納されるように構成されていることを特徴とする。
【０００８】
この構成によれば、投写用開口部は、第１カバーおよび第２カバーのスライド移動によって開閉される。そして、第１カバーおよび第２カバーは、開放状態において、積層して収納されるように構成されている。つまり、投写用開口部を１つのカバーで開閉する構成に比べ、第１カバーおよび第２カバーの移動方向における収納スペースを小さく構成することができる。よって、プロジェクターを使用しない際の投写レンズの保護を可能としつつ、レンズカバー以外の構成（例えば、内部冷却のための効率的な空気の流路構成や、新たな機能を盛り込むための構成等）を効率的に配置することや、小型化を図ったプロジェクターの提供が可能となる。
【０００９】
［適用例２］上記適用例に係るプロジェクターにおいて、当該プロジェクターは、第１画像および第２画像を時分割でスクリーンに投影可能に構成され、前記第１画像と前記第２画像との切り替えに同期する光信号を、前記スクリーンに向けて出力し、前記投写レンズに並設される発信装置をさらに備え、前記第１カバーおよび前記第２カバーは、前記開放状態において、前記投写レンズを挟んで前記発信装置とは反対側に収納されるように構成されていることが好ましい。
【００１０】
この構成によれば、プロジェクターは、第１画像および第２画像を時分割で投影可能に構成され、この両画像の切り替えに同期する光信号を、スクリーンに向けて出力する発信装置を備えている。これによって、光信号をスクリーンによって反射させ、スクリーンに投写される画像を観察する観察者に到達させることが可能となる。よって、観察者は、光信号を受信することによってシャッターが切り替えられる画像観察用眼鏡を装着することで、容易にスクリーンに投写された画像を立体画像として認識したり、２種類の画像を観察したりすることが可能となる。
そして、第１カバーおよび前記第２カバーは、投写レンズを挟んで発信装置とは反対側に収納されるように構成されている。これによって、プロジェクターは、レンズカバーの構成に左右されずに、簡単な構造や大型化を抑制して発信装置を備える構成が可能となる。
【００１１】
［適用例３］上記適用例に係るプロジェクターにおいて、前記レンズカバーは、前記第１カバーまたは前記第２カバーのいずれか一方のスライド移動によって他方を牽引する牽引部を有していることが好ましい。
【００１２】
この構成によれば、レンズカバーは、牽引部を有しているので、第１カバーまたは第２カバーのいずれか一方をスライド移動させることで他方も移動させて投写用開口部を開閉できる。よって、第１カバーおよび第２カバーを移動させる構成の簡素化や、開閉する操作性の向上が図れる。
【００１３】
［適用例４］上記適用例に係るプロジェクターにおいて、前記第１カバーおよび前記第２カバーを電動でスライド移動させる駆動部をさらに備えることが好ましい。
【００１４】
この構成によれば、プロジェクターは、電動式の駆動部を備えているので、天井等に天吊りされた状態でも、プロジェクターの使用者は、リモコンの操作によって容易に第１カバーおよび第２カバーを移動させ、投写用開口部を開閉できる。
【００１５】
［適用例５］上記適用例に係るプロジェクターにおいて、前記駆動部は、駆動力を出力する出力部と、前記駆動力を前記レンズカバーに伝達する伝達部と、を備え、前記伝達部は、前記出力部に噛合する出力側伝達部、および前記レンズカバーに噛合するカバー側伝達部を備え、前記レンズカバーからの力によって、前記出力側伝達部と前記カバー側伝達部との間で滑りを生じさせる滑り機構を有しているが好ましい。
【００１６】
この構成によれば、駆動部は、滑り機構を有する伝達部を備えているので、出力部に負荷を与えること無く手動によってレンズカバーを開閉することができる。これによって、プロジェクターを使用しない際に閉塞状態となっているレンズカバーを移動して投写レンズを露出させ、投写レンズのメンテナンス等の作業が可能となる。
【図面の簡単な説明】
【００１７】
【図１】本実施形態のプロジェクターの外観を示す斜視図。
【図２】本実施形態のプロジェクター内部の概略構成を示す模式図。
【図３】本実施形態のカバー案内部、レンズカバーおよび駆動部の分解斜視図。
【図４】本実施形態の開放状態におけるカバー案内部、レンズカバーおよび駆動部の斜視図。
【図５】本実施形態の開放状態におけるカバー案内部、レンズカバーおよび駆動部の斜視図。
【図６】本実施形態の上案内部および駆動部を示す斜視図。
【図７】本実施形態の上案内部、レンズカバー、および駆動部の分解斜視図。
【図８】（ａ）は、本実施形態の伝達部の分解斜視図、（ｂ）は、本実施形態の伝達部、および伝達部近傍の上案内部、レンズカバーを示す断面図。
【図９】本実施形態のレンズカバーを上方から見た断面図。
【図１０】本実施形態の閉塞状態におけるカバー案内部、レンズカバーおよび駆動部の斜視図。
【発明を実施するための形態】
【００１８】
以下、本施形態に係るプロジェクターについて、図面を参照して説明する。
本実施形態のプロジェクターは、光源から射出された光束を画像情報に応じて変調してスクリーンに拡大投写する。また、本実施形態のプロジェクターは、第１画像としての右目用画像、および第２画像としての左目用画像を時分割でスクリーンに投影ができるように構成されている。また、本実施形態のプロジェクターは、この右目用画像と左目用画像との切り替えに同期する光信号をスクリーンに向けて出力するように構成されている。そして、スクリーンに投写された画像を観察する観察者は、画像観察用眼鏡を装着することで、画像観察用眼鏡がスクリーンから反射された光信号によって制御されるので、投写された画像を立体画像として認識することができる。
【００１９】
〔プロジェクターの主な構成〕
図１は、本実施形態のプロジェクター１の外観を示す斜視図である。図２は、プロジェクター１内部の概略構成を示す模式図である。
プロジェクター１は、図１、図２に示すように、外装を構成する外装筐体２、制御部（図示省略）、光源装置３１を有する光学ユニット３、発信装置４、カバー案内部５、レンズカバー６、駆動部７、および検出部８等を備えている。
【００２０】
なお、具体的な図示は省略したが、外装筐体２内には、プロジェクター１の内部を冷却するためのファンや空気を導くダクト、制御部や光源装置３１等に電力を供給する電源装置等が配置されている。また、以下では、説明の便宜上、光源装置３１から光束が射出される方向を＋Ｘ方向（右方向）、プロジェクター１から投写される光が射出される方向を＋Ｙ方向（前方向）、図１における上方向を＋Ｚ方向（上方向）として記載する。
【００２１】
外装筐体２は、合成樹脂製であり、図１に示すように、アッパーケース２１、ロアーケース２２、フロントケース２３、およびランプ蓋２４等を備えており、これらは、ネジ等により固定されている。
【００２２】
アッパーケース２１は、図１に示すように、外装筐体２の上部を構成する。アッパーケース２１の上面には、後述する投写レンズ３６に備えられたズームレバー３６１およびフォーカスレバー３６２が露出する開口部２１１が設けられている。また、アッパーケース２１の上面には、開口部２１１の後方に、後述するレンズシフト機構３８の第１ダイヤル３８１、第２ダイヤル３８２が露出する開口部２１２，２１３が設けられている。また、アッパーケース２１の上面には、光源装置３１が着脱される開口部が設けられており、この開口部は、ランプ蓋２４によって閉塞されている。
【００２３】
ロアーケース２２は、外装筐体２の下部を構成する。ロアーケース２２の下方には、プロジェクター１が机上等に設置される際に設置面に当接する脚部（図示省略）が突出して設けられている。
【００２４】
フロントケース２３は、外装筐体２の前部を構成する。フロントケース２３の中央部には、図１に示すように、前方から見て円形の開口部（投写用開口部２３１）が形成されており、この投写用開口部２３１から投写される光が通過する。
【００２５】
フロントケース２３には、投写用開口部２３１の＋Ｘ側に、外部の空気が取り込まれる吸気口２３２が設けられ、投写用開口部２３１の−Ｘ側に、外装筐体２内の温まった空気が外部に排出される排気口２３３が設けられている。
吸気口２３２と排気口２３３とは、前方から見て近似する形状を有し、それぞれの内側の外装筐体２の内部には、図示しない吸気用のダクト、排気用のダクトが配置されている。
【００２６】
また、フロントケース２３には、図２に示すように、投写用開口部２３１の＋Ｘ側（投写用開口部２３１と吸気口２３２との間）に開口部（信号用開口部２３４）が形成されている。信号用開口部２３４は、後述する発信装置４より出力された光信号が通過する。
【００２７】
信号用開口部２３４は、光学フィルター２５によって閉塞されている。
光学フィルター２５は、発信装置４から出力された光信号が透過し、光信号と異なる波長領域の可視光の透過を抑制するポリカーボネート樹脂が採用されており、プロジェクター１の外部から発信装置４が見えにくいように構成されている。なお、光学フィルター２５は、発信装置４から出力された光信号を透過する材料であればポリカーボネート樹脂に限らず他の材料を用いてもよい。
【００２８】
また、光学フィルター２５は、前方から見て、フロントケース２３の投写用開口部２３１と排気口２３３との間を形成する壁部２３Ａと近似となる形状を有している。
そして、外装筐体２は、前方から見て、投写用開口部２３１を挟んで左右が略対称形状となるように形成されている。
【００２９】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御を行う。本実施形態のプロジェクター１は、機器本体に備えられ、図示しない操作パネルによって各種操作が可能であるとともに、リモコンによる遠隔操作も可能に構成されている。
【００３０】
光学ユニット３は、制御部による制御の下、光源３１１から射出された光束を光学的に処理して投写する。
光学ユニット３は、図２に示すように、光源装置３１、インテグレーター照明光学系３２、色分離光学系３３、リレー光学系３４、電気光学装置３５、これらの部材３１〜３５を光路上の所定位置に配置する光学部品用筐体３７、投写レンズ３６、およびレンズシフト機構３８を備える。
光学ユニット３は、図２に示すように平面視略Ｌ字状に形成され、一方の端部に光源装置３１が着脱可能に配置され、他方の端部に投写レンズ３６が配置される。
【００３１】
光源装置３１は、超高圧水銀ランプやメタルハライドランプ等からなる放電型の光源３１１、リフレクター３１２および光透過部材としての平行化レンズ３１３等を備えている。光源装置３１は、光源３１１から射出された光束をリフレクター３１２にて反射した後、平行化レンズ３１３よって射出方向を揃え、インテグレーター照明光学系３２に向けて射出する。
【００３２】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｃに対して略直交する面内にマトリクス状に配列される複数の小レンズを備えている。
【００３３】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム偏光光を液晶ライトバルブ３５１で利用可能な略１種類の偏光光に揃える機能を有する。
【００３４】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３５】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００３６】
電気光学装置３５は、光変調装置としての液晶ライトバルブ３５１および色合成光学装置としてクロスダイクロイックプリズム３５２を備え、色分離光学系３３で分離された各色光を、右目用および左目用の画像情報に応じて変調し、変調した各色光を合成する。
【００３７】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００３８】
液晶ライトバルブ３５１は、図示しない微小画素がマトリクス状に形成された矩形状の画素領域を有し、各画素が画像情報に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３９】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。そして、クロスダイクロイックプリズム３５２にて合成された光は、光軸３５Ｃを有して投写レンズ３６に射出される。
【００４０】
投写レンズ３６は、複数のレンズ（図示省略）、およびズームレバー３６１、フォーカスレバー３６２（いずれも図１参照）を有して構成され、レンズシフト機構３８に取り付けられる。投写レンズ３６は、液晶ライトバルブ３５１にて変調され、クロスダイクロイックプリズム３５２にて合成された光をスクリーン上に拡大投写する。この結果、スクリーンには、左目用画像と右目用画像とがフレーム単位で交互に投影される。
【００４１】
そして、投写レンズ３６は、ズームレバー３６１が回転されることによって、ズーム調整に寄与するレンズが移動してズームが調整され、フォーカスレバー３６２が回転されることによって、フォーカス調整に寄与するレンズが移動してフォーカスが調整される。
【００４２】
レンズシフト機構３８は、投写レンズ３６を移動可能に支持し、光学部品用筐体３７に取り付けられている。レンズシフト機構３８は、第１ダイヤル３８１、第２ダイヤル３８２（図１参照）を備え、この第１ダイヤル３８１、第２ダイヤル３８２が操作されることによって、光軸３５Ｃに直交する面内で互いに直交する２方向（±Ｘ方向、および±Ｚ方向）に投写レンズ３６を移動可能に構成されている。
【００４３】
発信装置４は、図２に示すように、投写レンズ３６の＋Ｘ側に投写レンズ３６に並設して配置される。発信装置４は、回路基板および複数の発光部（いずれも図示省略）を備え、図示しないケーブルを介して制御部に接続されている。発信装置４は、制御部の指示に基づいて、複数の発光部が右目用画像と左目用画像との切り替えに同期する光信号をスクリーンに向けて出力する。本実施形態の発光部は、赤外光を出力するＬＥＤ（Light Emitting Diode）が採用されている。なお、発光部は、赤外光を出力するＬＥＤに限らず、他の波長領域の光信号を出力する光学素子であってもよい。
【００４４】
発信装置４から出力された光信号は、前述したように、光学フィルター２５（図１、図２参照）を透過し、プロジェクター１の外部に射出される。そして、プロジェクター１の外部に射出された光信号は、スクリーンにて反射され、投写された画像を観察する観察者に到達する。観察者は、画像観察用眼鏡を装着することによって、スクリーンに投写された画像を立体画像として認識することができる。
【００４５】
詳細な説明は省略するが、画像観察用眼鏡は、右目用の液晶シャッター、左目用の液晶シャッター、光信号を受信する受信部、および液晶シャッターを駆動する駆動部を備えている。そして、画像観察用眼鏡は、光信号に対応して駆動部が駆動することによって、左右の液晶シャッターが交互に開閉する。そして、画像観察用眼鏡を装着している観察者は、スクリーンに投写された左目用画像を左目のみで観察し、右目用画像を右目のみで観察し、立体画像として認識する。
【００４６】
カバー案内部５は、図２に示すように、投写レンズ３６近傍のフロントケース２３の内側に配置され、レンズカバー６を移動可能に案内する。カバー案内部５については、後で詳細に説明する。
【００４７】
レンズカバー６は、第１カバー６１および第２カバー６２を有し、駆動部７からの駆動力によって第１カバー６１および第２カバー６２がスライド移動することにより投写用開口部２３１を開閉する。
【００４８】
駆動部７は、図２に示すように、投写レンズ３６の−Ｘ側、つまり投写レンズ３６に対して発信装置４の反対側に配置されている。駆動部７は、モーター７１や複数の歯車等を有し（図３参照）、制御部の指示に基づいて第１カバー６１および第２カバー６２を電動でスライド移動させるように構成されている。カバー案内部５、レンズカバー６および駆動部７については後で詳細に説明する。
【００４９】
検出部８は、第１検出スイッチ８１および第２検出スイッチ８２を備え、図２に示すようにカバー案内部５に配置される。
第１検出スイッチ８１および第２検出スイッチ８２（図３参照）は、同一の構成を有して形成され、それぞれが２つのリード片を有し、ケーブル（図示省略）を介して制御部に接続されている。第１検出スイッチ８１および第２検出スイッチ８２は、ノーマル状態において、２つのリード片が離間するオフ状態となり、一方のリード片が押圧されて２つのリード片が接触すると、オン状態となる。
【００５０】
第１検出スイッチ８１および第２検出スイッチ８２は、第１カバー６１によってオン状態とオフ状態とが切り替えられ、レンズカバー６が投写用開口部２３１を開放する開放状態、およびレンズカバー６が投写用開口部２３１を閉塞する閉塞状態を検出する。なお、検出部８の動作については、後で詳細に説明する。
【００５１】
〔カバー案内部の構成〕
ここで、カバー案内部５について詳細に説明する。
図３は、カバー案内部５、レンズカバー６および駆動部７の分解斜視図である。図４、図５は、開放状態におけるカバー案内部５、レンズカバー６および駆動部７の斜視図であり、図４（ａ）、（ｂ）は、前方斜めから見た斜視図、図５は、後方斜めから見た斜視図である。
【００５２】
カバー案内部５は、図３に示すように、案内本体部５１、上案内部５２および下案内部５３を備えている。
案内本体部５１は、フロントケース２３（図１参照）の投写用開口部２３１近傍の形状に近似する形状を有し、投写レンズ３６から射出される光が通過する開口部５１１が形成されている。案内本体部５１は、開口部５１１の−Ｘ側の部位（左側形成部５１Ｌ）が、開口部５１１の＋Ｘ側の部位（右側形成部５１Ｒ）より大きく形成されている。第１カバー６１および第２カバー６２は、図４に示すように、開放状態において、左側形成部５１Ｌに積層して収納される。
【００５３】
右側形成部５１Ｒの前面（＋Ｙ側の面）は、図３に示すように、開口部５１１の周縁部が左側形成部５１Ｌの前面に倣うように形成され、＋Ｘ側の端部は、平面視矩形状に突出している。この平面視矩形状に突出する突出部５１２の中央部には、前面および−Ｘ側の側面に対して窪む凹部５１２Ａが形成されている。
【００５４】
左側形成部５１Ｌおよび右側形成部５１Ｒの上端には、Ｘ−Ｚ平面に略沿って突出し、突出部５１２に繋がる突起部５１３が設けられている。突起部５１３は、−Ｘ側端部近傍の一部が削除された形状を有し、この削除された空間に駆動部７の一部が配置される。そして、突起部５１３および突出部５１２の上面には、上案内部５２が位置決めされて固定される位置決めピンおよびネジ穴が複数設けられている。
【００５５】
左側形成部５１Ｌは、図３に示すように、−Ｘ側の上端部が後方に窪む凹部５１４を有し、この凹部５１４の＋Ｘ側には、孔５１４Ｈ（図４（ｂ）参照）が形成されている。第１検出スイッチ８１は、図４（ｂ）に示すように、２つのリード片が凹部５１４の前方に位置し、図示しないケーブルが左側形成部５１Ｌの後方に位置するように凹部５１４にネジ固定される。
【００５６】
右側形成部５１Ｒの後面には、図５に示すように、＋Ｘ側の上端部近傍にネジ穴を有するボス５１５が設けられており、このボス５１５の上側には、孔５１５Ｈが設けられている。第２検出スイッチ８２は、２つのリード片がこの孔５１５Ｈから挿通されて前方に露出するようにボス５１５にネジ固定される。
【００５７】
上案内部５２は、図３、図４に示すように、案内本体部５１の上側に配置され、レンズカバー６の上端をスライド移動可能に支持するように構成されている。
図６は、上案内部５２および駆動部７を示す斜視図であり、（ａ）は、下方斜めから見た図、（ｂ）は、分解図である。図７は、上案内部５２、レンズカバー６、および駆動部７の分解斜視図である。
上案内部５２は、図６に示すように、ベース部５２１、およびベース部５２１に取り付けられた第１軸５２２、第２軸５２３を有している。
【００５８】
ベース部５２１は、板金で形成され、図６に示すように、Ｘ−Ｙ平面に沿い突起部５１３（図３参照）の上面に倣って延出する長尺状のレール形成部５２１１、レール形成部５２１１の−Ｘ側後方（−Ｙ側）に突出する軸取付部５２１２、および軸取付部５２１２の後方端部から−Ｚ方向に屈曲されたモーター取付部５２１３を有している。なお、ベース部５２１は、光の反射を抑制するように黒色となる処理が施された材料が採用されている。
【００５９】
レール形成部５２１１には、図６に示すように、レール形成部５２１１の延出方向に沿って形成された２つの長尺状の孔（第１上レール５２１Ａ、第２上レール５２１Ｂ）が設けられている。
第１上レール５２１Ａは、後述する第１固定板６３（図７参照）を介して第１カバー６１の上側を案内する。第１上レール５２１Ａは、レール形成部５２１１の−Ｘ側端部近傍から＋Ｘ側端部近傍に亘って形成されており、第１固定板６３に取り付けられたガイド軸６３Ｊ（図７参照）が挿通され、第１カバー６１が滑らかにスライド移動されるように形成されている。
【００６０】
第２上レール５２１Ｂは、後述する第２固定板６４（図７参照）を介して第２カバー６２の上側を案内する。第２上レール５２１Ｂは、図６に示すように、第１上レール５２１Ａの＋Ｙ側に形成され、第１上レール５２１Ａの−Ｘ側と略沿う位置から第１上レール５２１Ａと並設し、第１上レール５２１Ａより短く形成されている。第２上レール５２１Ｂは、後述するガイド軸６４Ｊ（図７参照）が挿通され、第２カバー６２が滑らかにスライド移動されるように形成されている。
【００６１】
軸取付部５２１２には、図６に示すように、第１軸５２２および第２軸５２３が−Ｚ方向に突出し、所定の距離を有して固定される。
モーター取付部５２１３は、第１軸５２２および第２軸５２３に対して所定の距離有して形成されており、駆動部７の後述するモーター７１を取り付けるための孔やネジ穴が形成されている。
【００６２】
また、レール形成部５２１１の＋Ｘ側端部および軸取付部５２１２には、複数の孔が形成されている。この複数の孔は、カバー案内部５の突出部５１２，５１３（図３参照）の上面に設けられた位置決めピンおよびネジ穴に対応する位置に形成されており、上案内部５２は、この突出部５１２，５１３に位置決めされてネジ固定される。
【００６３】
下案内部５３は、図３、図４に示すように、案内本体部５１の下側に配置され、レンズカバー６の下端をスライド移動可能に支持するように構成されている。
下案内部５３は、合成樹脂で形成され、図３に示すように、案内本体部５１の下端に沿って延出する長尺状に形成されている。
【００６４】
下案内部５３には、図３に示すように、上案内部５２の第１上レール５２１Ａ、第２上レール５２１Ｂにそれぞれ対応する第１下レール５３Ａ、第２下レール５３Ｂが設けられている。
第１下レール５３Ａは、第１カバー６１の下側を案内する溝である。第１下レール５３Ａは、図３に示すように、下案内部５３の−Ｘ側端部近傍から＋Ｘ側端部近傍に亘って形成されており、第１カバー６１の後述するガイド部６１２Ｇ（図７参照）が挿通され、第１カバー６１が滑らかにスライド移動されるように形成されている。
【００６５】
第２下レール５３Ｂは、第２カバー６２の下側を案内する溝である。第２下レール５３Ｂは、図３に示すように、第１下レール５３Ａの＋Ｙ側に形成され、第１下レール５３Ａの−Ｘ側と略沿う位置から第１下レール５３Ａと並設し、第１下レール５３Ａより短く形成されている。第２下レール５３Ｂは、後述するガイド部６２２Ｇ（図７参照）が挿通され、第２カバー６２が滑らかにスライド移動されるように形成されている。下案内部５３は、案内本体部５１の下部にネジ固定される。
【００６６】
〔レンズカバーの構成〕
次に、レンズカバー６について詳細に説明する。
レンズカバー６は、図３、図７に示すように、第１カバー６１および第２カバー６２に加え、第１固定板６３、および第２固定板６４を備えている。レンズカバー６は、駆動部７に駆動されることによって、カバー案内部５に案内されてスライド移動し、投写用開口部２３１を開閉する。
【００６７】
第１カバー６１および第２カバー６２は、合成樹脂で形成され、図３、図４に示すように、カバー案内部５の前側に第１カバー６１、第２カバー６２の順で積層されるように配置される。
【００６８】
第１カバー６１は、上下方向において左側形成部５１Ｌの前面に倣う形状を有し、Ｘ方向において左側形成部５１Ｌより小さな寸法に形成されている。
第１カバー６１の上端部６１１は、図７に示すように、Ｘ−Ｚ平面に略沿うように形成されており、この上端部６１１の左右の端部近傍には、後方に突出する位置決めピン、およびＹ方向に貫通する丸孔が設けられている。
【００６９】
第１カバー６１の下端部は、図７に示すように、Ｘ−Ｚ平面に略沿うように形成されており、この下端部の＋Ｘ側の部位（突起部６１２）は、−Ｘ側より下方に突出している。そして、突起部６１２の左右の端部には、図３、図７に示すように、前側および後側に凸状の曲面を有するガイド部６１２Ｇが設けられている。ガイド部６１２Ｇは、前述したように、下案内部５３の第１下レール５３Ａ（図３参照）に挿入され、第１カバー６１が滑らかにスライド移動可能に形成されている。
【００７０】
第１カバー６１には、図３に示すように、上端部６１１の前面から突出する牽引部６１Ａ，６１Ｂが形成されている。
牽引部６１Ａは、上端部６１１の＋Ｘ側端部近傍に形成されており、第１カバー６１が閉塞状態から開放状態に移動される際に第２カバー６２を牽引する機能を有している。牽引部６１Ｂは、上端部６１１の−Ｘ側端部近傍に形成されており、第１カバー６１が開放状態から閉塞状態に移動される際に第２カバー６２を牽引する機能を有している。
【００７１】
また、第１カバー６１の＋Ｘ側端部中央には、図３に示すように、前方に突出する把持部６１３が形成されている。把持部６１３は、閉塞状態において、凹部５１２Ａの近傍に位置し、凹部５１２Ａより前方に突出するように形成されている。また、把持部６１３は、開放状態（図１参照）および閉塞状態において、投写用開口部２３１から露出するように形成されている。
【００７２】
本実施形態のレンズカバー６は、駆動部７による電動に加え、手動によってレンズカバー６をスライド移動することができるように構成されている。把持部６１３は、プロジェクター１の使用者が手動によってレンズカバー６をスライド移動し易いように形成されている。
【００７３】
第２カバー６２は、図７に示すように、第１カバー６１の前面に倣う形状を有し、Ｘ方向の寸法が第１カバー６１と同等に形成されている。第２カバー６２は、第１カバー６１の上端部６１１と同様に形成された上端部６２１、および第１カバー６１の突起部６１２と同様に形成された突起部６２２を有している。
【００７４】
そして、突起部６２２には、第１カバー６１のガイド部６１２Ｇと同様に形成されたガイド部６２２Ｇが設けられている。ガイド部６２２Ｇは、下案内部５３の第２下レール５３Ｂ（図３参照）に挿入され、第２カバー６２が滑らかにスライド移動可能に形成されている。なお、本実施形態の第１カバー６１および第２カバー６２は、半透明状の材料が採用され、デザイン上の高級感が図られている。
【００７５】
第１固定板６３は、駆動部７の駆動力が伝達される部材であり、第１カバー６１が取り付けられ、第１カバー６１と共にスライド移動する。第１固定板６３は、板金で形成され、図７に示すように、Ｘ−Ｙ平面に沿う歯形形成部６３１、および歯形形成部６３１に対して下方に屈曲されてＸ−Ｚ平面に沿う取付部６３２を有している。
【００７６】
歯形形成部６３１は、図７に示すように、第１カバー６１がスライド移動する方向が長い長尺状に形成され、−Ｙ側の端面には、駆動部７の後述するスリップ歯車７３２が螺合する歯形６３Ｇが形成されている。
【００７７】
歯形形成部６３１の中央部、および＋Ｘ側端部近傍には、上方に突出するガイド軸６３Ｊが取り付けられている。ガイド軸６３Ｊは、前述したように、上案内部５２の第１上レール５２１Ａに挿入され、第１カバー６１が滑らかにスライド移動可能に形成されている。
【００７８】
取付部６３２は、歯形形成部６３１の＋Ｙ側から屈曲されて形成されており、Ｘ方向における歯形形成部６３１の略中央部から＋Ｘ側端部の間に設けられている。取付部６３２には、第１カバー６１の上端部６１１に設けられた位置決めピン、丸孔に対応する孔、ネジ孔が形成されている。
【００７９】
第１固定板６３は、図７に示すように、ガイド軸６３Ｊが上案内部５２の第１上レール５２１Ａに挿入され、ガイド軸６３Ｊの先端近傍に止め輪Ｅが取り付けられて上案内部５２に支持される。
【００８０】
第１カバー６１は、上案内部５２に支持された第１固定板６３にネジ固定される。第１固定板６３は、第１カバー６１が取り付けられると、歯形形成部６３１の−Ｘ側が第１カバー６１から飛び出す状態となる。
【００８１】
第２固定板６４は、第２カバー６２が取り付けられ、第２カバー６２と共に移動する。第２固定板６４は、板金で形成され、図７に示すように、Ｘ−Ｙ平面に沿うガイド軸取付部６４１、およびガイド軸取付部６４１に対して下方に屈曲されてＸ−Ｚ平面に沿う取付部６４２を有している。
【００８２】
ガイド軸取付部６４１の左右端部近傍には、上方に突出するガイド軸６４Ｊが取り付けられている。ガイド軸６４Ｊは、前述したように、上案内部５２の第２上レール５２１Ｂに挿入され、第２カバー６２が滑らかにスライド移動可能に形成されている。
【００８３】
また、ガイド軸取付部６４１には、切り起こし加工によって下方に突出する係合部６４Ａが形成されている。係合部６４Ａは、第１カバー６１の牽引部６１Ａと牽引部６１Ｂとの間に位置するように形成され、第１カバー６１の移動される方向によって牽引部６１Ａあるいは牽引部６１Ｂと係合する。
【００８４】
取付部６４２は、ガイド軸取付部６４１の＋Ｙ側から屈曲されて形成されており、第２カバー６２の上端部６２１に設けられた位置決めピン、丸孔に対応する孔、ネジ孔が形成されている。
【００８５】
第２固定板６４は、図７に示すように、ガイド軸６４Ｊが上案内部５２の第２上レール５２１Ｂに挿入され、ガイド軸６４Ｊの先端近傍に止め輪Ｅが取り付けられて上案内部５２に支持される。
第２カバー６２は、上案内部５２に支持された第２固定板６４にネジ固定される。
【００８６】
〔駆動部の構成〕
駆動部７は、閉塞状態における、第１カバー６１の上端近傍に配置され、第１カバー６１および第２カバー６２を電動でスライド移動可能に構成されている。
駆動部７は、図６に示すように、駆動力を出力する出力部としてのモーター７１、減速歯車７２および伝達部７３を備え、上案内部５２に取り付けられる。
モーター７１は、回転軸であるスピンドル（図示省略）を有するモーター本体７１１および、このスピンドルの先端に設けられたピニオン７１２を備えている。モーター７１は、図６に示すように、ピニオン７１２が軸取付部５２１２の−Ｚ側に位置するようにモーター取付部５２１３にネジ固定される。そして、モーター７１は、図示しないケーブルを介して制御部に接続される。
【００８７】
減速歯車７２は、ピニオン７１２に噛合され、モーター７１で出力された駆動力を伝達部７３に伝達する。具体的に、減速歯車７２は、合成樹脂製であり、図６に示すように、同軸上に積層されて形成された大歯車７２１および小歯車７２２を有している。大歯車７２１の径寸法は、小歯車７２２の径寸法より大きく設定されている。
減速歯車７２は、大歯車７２１がピニオン７１２に噛合され、第１軸５２２に回転可能に支持される。そして、減速歯車７２は、ピニオン７１２の回転を減速して伝達部７３に伝達する。
【００８８】
伝達部７３は、小歯車７２２に噛合され、減速歯車７２を介して伝達されたモーター７１の駆動力をレンズカバー６、具体的には、第１固定板６３に伝達する。また、伝達部７３は、第１固定板６３からの力によって、所定以上のトルクが加えられると、滑りが生じる滑り機構を有している。
【００８９】
図８（ａ）は、伝達部７３の分解斜視図、図８（ｂ）は、伝達部７３、および伝達部７３近傍の上案内部５２、レンズカバー６を示す断面図である。
伝達部７３は、図８（ａ）に示すように、シャフト７３１、カバー側伝達部としてのスリップ歯車７３２、出力側伝達部としての中間歯車７３３、座金７３４、コイルバネ７３５およびナット７３６を備えている。
【００９０】
シャフト７３１は、円柱状の軸部７３１１、および軸部７３１１に対して径方向に突出するフランジ部７３１２を有し、中心には、図８（ｂ）に示すように、第２軸５２３が挿入される中心孔が形成されている。シャフト７３１は、第２軸５２３に回転可能に支持される。
【００９１】
フランジ部７３１２は、図８（ａ）に示すように、軸部７３１１の一方の端部に形成されており、外周の一部に平坦部を有するように形成されている。また、フランジ部７３１２と反対側の軸部７３１１の端部には、ナット７３６が噛合されるネジ溝（図示省略）が形成されている。
【００９２】
スリップ歯車７３２は、第１固定板６３の歯形６３Ｇに噛合される。スリップ歯車７３２は、図８（ａ）に示すように、中心にシャフト７３１の軸部７３１１が挿入される中心孔が形成され、一方の面７３２Ａには、シャフト７３１のフランジ部７３１２と係合する凹部７３２１が形成されている。スリップ歯車７３２は、図８（ｂ）に示すように、中心孔に軸部７３１１が挿入され、凹部７３２１にフランジ部７３１２が係合し、シャフト７３１と共に第２軸５２３に回転可能に支持される。
【００９３】
中間歯車７３３は、図６（ａ）に示すように、減速歯車７２の小歯車７２２に噛合される。つまり、中間歯車７３３は、減速歯車７２を介してモーター７１に噛合される。中間歯車７３３の径寸法は、図８に示すように、スリップ歯車７３２の径寸法より大きく設定され、中心には、シャフト７３１の軸部７３１１が挿入される中心孔が形成されている。中間歯車７３３は、図８（ｂ）に示すように、中心孔にスリップ歯車７３２から飛び出した軸部７３１１が挿入される。そして、中間歯車７３３は、スリップ歯車７３２の面７３２Ａと反対側の面（接触面７３２Ｂ）に接触して配置される。
【００９４】
座金７３４は、コイルバネ７３５の付勢力を受けるように形成されている。座金７３４は、軸部７３１１が挿入される孔を有し、図８（ｂ）に示すように、この孔に中間歯車７３３から飛び出した軸部７３１１が挿入される。
【００９５】
コイルバネ７３５には、図８（ｂ）に示すように、座金７３４から飛び出した軸部７３１１が挿入される。
ナット７３６は、軸部７３１１のネジ溝に螺合されて座金７３４とでコイルバネ７３５を狭装し、コイルバネ７３５が所定の力で中間歯車７３３を付勢するように、螺合する量が調整される。そして、コイルバネ７３５は、中間歯車７３３の接触面７３３Ａと、スリップ歯車７３２の接触面７３２Ｂとが所定の摩擦抵抗を有するように中間歯車７３３を付勢する。
【００９６】
伝達部７３は、モーター７１が駆動された際に、減速歯車７２を介して伝達された力を第１固定板６３に伝達する。一方、伝達部７３は、モーター７１の停止状態において、中間歯車７３３がモーター７１の保持トルクによって回転が規制されるので、スリップ歯車７３２に所定以上のトルクが加えられると、スリップ歯車７３２がコイルバネ７３５の付勢力に抗し、中間歯車７３３に対して滑りが生じる。このように、伝達部７３は、中間歯車７３３（出力側伝達部）とスリップ歯車７３２（カバー側伝達部）との間で滑りを生じさせる滑り機構を有している。
【００９７】
〔レンズカバーの動作〕
ここで、レンズカバー６の動作について、図４に図９および図１０を加えて説明する。図９は、レンズカバー６を上方から見た断面図であり、（ａ）は、開放状態から閉塞状態に移動する際の図、（ｂ）は、閉塞状態から開放状態に移動される際の図である。図１０は、閉塞状態におけるカバー案内部５、レンズカバー６および駆動部７の斜視図である。
【００９８】
レンズカバー６は、操作パネルやリモコンによる操作によって制御部の指示の基、駆動部７に駆動されて投写用開口部２３１を開閉する。
第１カバー６１および第２カバー６２は、図４に示すように、開放状態において、投写レンズ３６を挟んで発信装置４（図２参照）とは反対側となる左側形成部５１Ｌに積層して収納される。つまり、第１カバー６１および第２カバー６２は、フロントケース２３の壁部２３Ａ（図１参照）の後方に収納される。
【００９９】
第１カバー６１は、図４に示すように、開放状態において、＋Ｘ側の端部が第２カバー６２の＋Ｘ側の端部より＋Ｘ側に位置するように配置される。そして、第１カバー６１の把持部６１３は、前述したように、投写用開口部２３１から露出する（図１参照）。
【０１００】
第１検出スイッチ８１は、開放状態において、図４（ｂ）に示すように、一方のリード片が第１カバー６１の−Ｘ側の端部に押圧されて他方のリード片と接触し、オン状態となる。そして、レンズカバー６は、開放状態であることが検知される。また、開放状態において、第１固定板６３は、−Ｘ側が案内本体部５１から飛び出す状態となる。
【０１０１】
開放状態から閉塞状態となるように操作パネルやリモコンが操作されると、駆動部７は、モーター７１が第１方向に回転し、減速歯車７２および伝達部７３を介して第１固定板６３を＋Ｘ方向に移動させる。第１固定板６３に固定されている第１カバー６１は、ガイド軸６３Ｊが第１上レール５２１Ａに案内され、ガイド部６１２Ｇが第１下レール５３Ａに案内されて第１固定板６３と共に移動する。そして、第１検出スイッチ８１は、第１カバー６１がリード片から離間し、オフ状態に切り替わる。
【０１０２】
第１カバー６１は、開放状態から所定の位置まで移動すると、図９（ａ）に示すように、牽引部６１Ｂが係合部６４Ａに係合し、第２固定板６４、つまり第２固定板６４に固定されている第２カバー６２を牽引する。そして、第１カバー６１が第２検出スイッチ８２の２つのリード片を接触させてオン状態となる位置まで移動すると、駆動部７は、モーター７１の回転が停止する。そして、レンズカバー６は、図１０に示すように、第１カバー６１および第２カバー６２が投写用開口部２３１を閉塞する閉塞状態となる。第１固定板６３は、閉塞状態において、案内本体部５１から飛び出さない状態となる。
【０１０３】
一方、閉塞状態から開放状態となるように操作パネルやリモコンが操作されると、駆動部７は、モーター７１が第１方向とは反対方向の第２方向に回転し、減速歯車７２および伝達部７３を介して第１固定板６３を第１カバー６１と共に−Ｘ方向に移動させる。そして、第２検出スイッチ８２は、第１カバー６１がリード片から離間し、オフ状態に切り替わる。
【０１０４】
第１カバー６１は、閉塞状態から所定の位置まで移動すると、図９（ｂ）に示すように、牽引部６１Ａが係合部６４Ａに係合し、第２固定板６４と共に第２カバー６２を牽引する。そして、第１カバー６１が第１検出スイッチ８１の２つのリード片を接触させてオン状態となる位置まで移動すると、駆動部７は、モーター７１の回転が停止する。そして、レンズカバー６は、図４に示すように、第１カバー６１および第２カバー６２が左側形成部５１Ｌに積層して収納され、投写用開口部２３１を開放する開放状態となる。
このように、レンズカバー６は、駆動部７に駆動されてスライド移動し、投写用開口部２３１を開閉する。
【０１０５】
また、レンズカバー６は、前述したように、手動による開閉が可能に構成されている。レンズカバー６は、把持部６１３が把持され、第１カバー６１が移動されることによって手動による開閉が行われる。具体的に、第１カバー６１は、力が加えられると、第１固定板６３を介してスリップ歯車７３２に力が伝わる。そして、スリップ歯車７３２に所定の力を超えたトルクが加わると、スリップ歯車７３２は、前述したように、中間歯車７３３に対してスリップし、第１カバー６１は、移動される。
【０１０６】
このように、レンズカバー６は、モーター７１の出力による駆動の場合には、スリップ歯車７３２が中間歯車７３３と共に回転して移動され、モーター７１の停止状態において、第１カバー６１に力が加えられると、スリップ歯車７３２が中間歯車７３３に対してスリップして移動される。
【０１０７】
以上説明したように、本実施形態のプロジェクター１によれば、以下の効果を得ることができる。
（１）第１カバー６１および第２カバー６２は、開放状態において、投写用開口部２３１の−Ｘ側に積層して収納される。つまり、投写用開口部２３１を１つのカバーで開閉する構成に比べ、第１カバー６１および第２カバー６２の移動方向における収納スペースを小さく構成することができる。よって、プロジェクター１を使用しない際の投写レンズ３６の保護を可能としつつ、レンズカバー６以外の構成（例えば、内部冷却を行うための吸気用や排気用のダクトの構成や、新たな機能を盛り込むための構成等）を効率的に配置することや、小型化を図ったプロジェクター１の提供が可能となる。
【０１０８】
（２）プロジェクター１は、右目用画像および左目用画像を時分割で投影可能に構成され、この両画像の切り替えに同期する光信号を、スクリーンに向けて出力する発信装置４を備えている。これによって、光信号をスクリーンによって反射させ、スクリーンに投写される画像を観察する観察者に到達させることが可能となる。よって、観察者は、画像観察用眼鏡を装着することで、容易にスクリーンに投写された画像を立体画像として認識することが可能となる。
【０１０９】
（３）第１カバー６１および第２カバー６２は、投写レンズ３６を挟んで発信装置４とは反対側に収納されるように構成されている。これによって、プロジェクター１は、レンズカバー６の構成に左右されずに、簡単な構造や大型化を抑制して発信装置４を備える構成が可能となる。
また、発信装置４を投写レンズ３６に接近させて構成できるので、吸気口２３２の内側に配置されているダクトを効率よく形成することが可能となる。よって、プロジェクター１内の効率的な冷却や、ファンの低電圧駆動化による低騒音化が図れる。
【０１１０】
（４）第１カバー６１および第２カバー６２は、投写レンズ３６を挟んで発信装置４と反対側に積層して収納される。これによって、前方から見て、投写用開口部２３１を挟んで左右が略対称形状となるように外装筐体２を形成しても左右方向の外装筐体の大型化が抑制される。よって、プロジェクター１の大型化を抑制しつつデザイン性の向上が図れる。
【０１１１】
（５）第１カバー６１は、牽引部６１Ａ，６１Ｂを有しているので、第１カバー６１をスライド移動させることで第２カバー６２も移動させて投写用開口部２３１を開閉できる。よって、第１カバー６１および第２カバー６２を移動させる構成の簡素化や、開閉する操作性の向上が図れる。
【０１１２】
（６）プロジェクター１は、電動式の駆動部７を備えているので、天井等に天吊りされた状態でも、プロジェクター１の使用者は、リモコンの操作によって容易に第１カバー６１および第２カバー６２を移動させ、投写用開口部２３１を開閉できる。
【０１１３】
（７）駆動部７は、滑り機構を有する伝達部７３を備えているので、モーター７１に負荷を与えること無く手動によってレンズカバー６を開閉することができる。これによって、プロジェクター１を使用しない際に閉塞状態となっているレンズカバー６を移動して投写レンズ３６を露出させ、投写レンズ３６のメンテナンス等（表面に付着した塵埃の除去等）の作業が可能となる。また、把持部６１３は、投写用開口部２３１から露出するように形成されているので、他の箇所に形成されている構成（例えば、外装筐体２の上面から露出させる構成）に比べ、デザイン性の向上やプロジェクター製造の簡素化が図れる。
【０１１４】
（変形例）
なお、前記実施形態は、以下のように変更してもよい。
前記実施形態のレンズカバー６は、第１カバー６１が第２カバー６２を牽引するように構成されているが、第２カバー６２が第１カバー６１を牽引するように構成してもよい。
【０１１５】
前記実施形態のレンズカバー６は、駆動部７の駆動によって投写用開口部２３１を開閉するように構成されているが、駆動部７を廃止し、手動のみで開閉するように構成してもよい。
【０１１６】
投写用開口部２３１に加え、アッパーケースの上面に形成された開口部（例えば、図１に示す開口部２１１，２１２，２１３等）を開閉するようにレンズカバーを構成してもよい。
【０１１７】
前記実施形態では、発信装置４が投写レンズ３６の＋Ｘ側（吸気口側）に配置され、第１カバー６１および第２カバー６２が投写レンズ３６の−Ｘ側（排気口側）に収納されるように構成されているが、発信装置４が投写レンズ３６の−Ｘ側（排気口側）に配置され、第１カバー６１および第２カバー６２が投写レンズ３６の＋Ｘ側（吸気口側）に収納されるように構成してもよい。
【０１１８】
前記実施形態の駆動部７は、出力部としてモーター７１を用いているが、モーター７１に限らず、例えば、ソレノイド等を用いてもよい。そして、駆動部をこのソレノイドとソレノイドの移動量を拡大して移動するレバー部材とを備えた構成としてもよい。
【０１１９】
前記実施形態のプロジェクター１は、第１画像としての右目用画像、および第２画像としての左目用画像を時分割でスクリーンに投影できるように構成されているが、右目用画像、左目用画像に限らず、表示される内容等が異なる第１画像および第２画像を時分割でスクリーンに投影できるように構成してもよい。そして、前記実施形態の画像観察用眼鏡は、左右の液晶シャッターが交互に開閉するように構成されているが、左右の液晶シャッターが揃って開閉するように構成してもよい。これによって、シャッターの切り替えられるタイミングが異なる画像観察用眼鏡を装着する複数の観察者に、スクリーンに投写された画像を第１画像、第２画像としてそれぞれ観察させることが可能となる。
【０１２０】
前記実施形態の画像観察用眼鏡に備えられた左右のシャッターは、液晶パネルを用いて構成されているが、この構成に限らず他の方式によるシャッターで構成してもよい。
【０１２１】
前記実施形態のレンズシフト機構３８は、手動式で構成されているが、モーター等を備えた電動式で構成してもよい。
【０１２２】
前記実施形態のプロジェクター１は、光変調装置として透過型の液晶ライトバルブ３５１を用いているが、反射型液晶ライトバルブを利用したものであってもよい。
【０１２３】
光源３１１は放電型のランプに限らず、その他の方式のランプや発光ダイオード等の固体光源で構成してもよい。
【符号の説明】
【０１２４】
１…プロジェクター、２…外装筐体、３…光学ユニット、４…発信装置、５…カバー案内部、６…レンズカバー、７…駆動部、８…検出部、３１…光源装置、３６…投写レンズ、６１…第１カバー、６１Ａ，６１Ｂ…牽引部、６２…第２カバー、６３…第１固定板、６３Ｊ，６４Ｊ…ガイド軸、６４…第２固定板、６４Ａ…係合部、７１…モーター、７２…減速歯車、７３…伝達部、２３１…投写用開口部、２３４…信号用開口部、３１１…光源、５２１Ａ…第１上レール、５２１Ｂ…第２上レール、６１３…把持部、７３１…シャフト、７３２…スリップ歯車、７３２Ｂ，７３３Ａ…接触面、７３３…中間歯車、７３４…座金、７３５…コイルバネ、７３６…ナット。
【図１】
0005830884.tif 000002
【図２】
0005830884.tif 000003
【図３】
0005830884.tif 000004
【図４】
0005830884.tif 000005
【図５】
0005830884.tif 000006
【図６】
0005830884.tif 000007
【図７】
0005830884.tif 000008
【図８】
0005830884.tif 000009
【図９】
0005830884.tif 000010
【図１０】
0005830884.tif 000011